(57)【要約】【課題】貨幣処理装置の機能や性能の低下を抑制した上で、入金処理および両替出金処理における処理時間を短縮した技術を提供する。【解決手段】両替機能を有する両替取引装置は、現金を出金する出金部と；他の装置における取引の内容に基づいて作成される取引情報であって、取引を行なった取引者を特定する取引者情報と、取引の内容に基づいて決定される両替可能な金額である両替可能額と、を含む取引情報を受信する情報受信部と；利用者からの操作を受け付ける操作部と、  利用者を特定する利用者情報を取得する情報取得部と；利用者情報と取引者情報とが同じであるか否かを判定する判定部と；利用者情報と取引者情報とが同じであると判定された場合に、操作に基づいて、両替可能額の内から両替して出金させる両替金額を決定する制御部と、を備える。【選択図】図１
2015001861.tif 000002
【特許請求の範囲】
【請求項１】
両替機能を有する両替取引装置であって、
現金を出金する出金部と、
他の装置における取引の内容に基づいて作成される取引情報であって、前記取引を行なった取引者を特定する取引者情報と、前記取引の内容に基づいて決定される両替可能な金額である両替可能額と、を含む取引情報を受信する情報受信部と、
利用者からの操作を受け付ける操作部と、
前記利用者を特定する利用者情報を取得する情報取得部と、
前記利用者情報と前記取引者情報とが同じであるか否かを判定する判定部と、
前記利用者情報と前記取引者情報とが同じであると判定された場合に、前記操作に基づいて、前記両替可能額の内から両替して出金させる両替金額を決定する制御部と、を備える、両替取引装置。
【請求項２】
請求項１に記載の両替取引装置であって、
前記他の装置は、現金を入金する自動取引装置であり、
前記両替可能額は、前記自動取引装置に入金された金額以下である、両替取引装置。
【請求項３】
請求項１に記載の両替取引装置であって、
前記他の装置は、預金口座から現金の口座払出しを行なう自動取引装置であり、
前記両替金額は、前記預金口座から口座払出しされる金額から、前記自動取引装置において出金された金額を差し引いた金額である、両替取引装置。
【請求項４】
請求項１から請求項３までのいずれか一項に記載の両替取引装置であって、
前記制御部は、前記操作に基づいて金種を特定し、特定された金種を用いて前記両替金額を出金させる、両替取引装置。
【請求項５】
両替機能を有する両替取引装置と、他の装置と、を備える両替取引システムであって、
前記他の装置は、
取引を行なう取引者を特定する取引者情報と、前記取引の内容に基づいて決定される両替可能な金額である両替可能額と、を含む取引情報を作成する情報作成部と、
前記取引情報を前記両替取引装置に送信する情報送信部と、を備え、
前記両替取引装置は、
現金を出金する出金部と、
前記取引情報を受信する情報受信部と、
利用者からの操作を受け付ける操作部と、
前記利用者を特定する利用者情報を取得する情報取得部と、
前記利用者情報と前記取引者情報とが同じであるか否かを判定する判定部と、
前記利用者情報と前記取引者情報とが同じであると判定された場合に、前記操作に基づいて、前記両替可能額の内から両替して出金させる両替金額を決定する制御部と、を備える、両替取引システム。
【発明の詳細な説明】
【技術分野】
【０００１】
本発明は、両替取引装置に関する。
【背景技術】
【０００２】
本技術分野の背景技術として、ＷＯ２０１０／０１０６１５号公報（特許文献１）がある。この特許文献には、「貨幣処理装置は、筐体の外部から内部に紙幣を取り込み、この取り込まれた紙幣を識別計数して筐体の内部に収納する紙幣入金部と、筐体の内部に収納された紙幣を筐体の外部に出す紙幣出金部と、筐体の外部から内部に硬貨を取り込み、この取り込まれた硬貨を識別計数して筐体の内部に収納する硬貨入金部と、筐体の内部に収納された硬貨を筐体の外部に出す硬貨出金部と、を備えている。貨幣処理装置に設けられた制御部は、紙幣入金部および／または硬貨入金部により筐体の内部に紙幣および／または硬貨を取り込ませ、その後、筐体の内部に取り込まれた貨幣について、入金処理および両替処理の両方の処理を行なうよう、各構成要素の制御を行なう。」と記載されている（要約参照）。
【先行技術文献】
【特許文献】
【０００３】
【特許文献１】ＷＯ２０１０／０１０６１５号公報
【発明の概要】
【発明が解決しようとする課題】
【０００４】
上記特許文献１の貨幣処理装置では、１台の貨幣処理装置によって貨幣の入金処理および両替出金処理の両方が行なわれるため、従来のように入金処理と両替出金処理とを別々の貨幣処理装置で行なう必要がなく、入金処理および両替出金処理における処理時間を短縮できる。しかし、特許文献１の貨幣処理装置では、多量の硬貨を受け入れるために収納容量の大きい入金処理ユニットを装備する必要があり、従来と同じ大きさの貨幣処理装置として金融機関等に設置すると、出金用の現金の収納容積を縮小する等、貨幣処理装置の機能や性能を低くしなければならないおそれがある。そこで、本発明は、貨幣処理装置の機能や性能の低下を抑制した上で、入金処理および両替出金処理における処理時間を短縮する技術を提供することを課題とする。
【課題を解決するための手段】
【０００５】
上記課題を解決するために、本発明では、両替機能を有する両替取引装置は；現金を出金する出金部と；他の装置における取引の内容に基づいて作成される取引情報であって、前記取引を行なった取引者を特定する取引者情報と、前記取引の内容に基づいて決定される両替可能な金額である両替可能額と、を含む取引情報を受信する情報受信部と；利用者からの操作を受け付ける操作部と；前記利用者を特定する利用者情報を取得する情報取得部と；前記利用者情報と前記取引者情報とが同じであるか否かを判定する判定部と；前記利用者情報と前記取引者情報とが同じであると判定された場合に、前記操作に基づいて、前記両替可能額の内から両替して出金させる両替金額を決定する制御部と、を備える。
【発明の効果】
【０００６】
本発明によれば、両替取引装置における両替金額は、両替取引装置に貨幣が直接入金されなくても両替出金されるので、入金処理および両替出金処理における処理時間が短縮される。また、１枚１枚がバラバラの硬貨を、包装硬貨または紙幣へと両替したい場合に、他の装置にバラバラの硬貨を投入すれば、他の装置で出金せずに、両替取引装置において両替出金できるので、利用者の利便性が向上する。また、新たに両替取引装置やその他の装置の筐体を用いずに、現状の両替取引装置や他の装置を用いて、入金処理および両替出金処理における処理時間を短縮できる。上記した以外の課題、構成および効果は、以下の実施例の説明により明らかにされる。
【図面の簡単な説明】
【０００７】
【図１】本発明の実施例における両替取引システム１００の概略構成を示す説明図である。
【図２】両替機１０の内部構成を概略的に示す説明図である。
【図３】ＡＴＭ３０およびホストコンピュータ５０の内部構成を概略的に示す説明図である。
【図４】連携取引におけるＡＴＭ３０での入金処理の流れを示す説明図である。
【図５】連携取引におけるＡＴＭ３０での入金処理の流れを示す説明図である。
【図６】取引メニューの一例を示す説明図である。
【図７】カード挿入指示のメッセージの一例を示す説明図である。
【図８】出金の選択画面の一例を示す説明図である。
【図９】入金受付時に表示されるメッセージの一例を示す説明図である。
【図１０】預入れ金額の確認画面の一例を示す説明図である。
【図１１】連携取引の案内画面の一例を示す説明図である。
【図１２】ＡＴＭ３０における連携取引の取引集計項目の一例を示す説明図である。
【図１３】未受領金額ファイルに格納された１つのレコードを示す説明図である。
【図１４】連携取引における両替出金処理の流れを示す説明図である。
【図１５】連携取引における両替出金処理の流れを示す説明図である。
【図１６】両替出金の取引メニューの一例を示す説明図である。
【図１７】両替出金額の確認画面の一例を示す説明図である。
【図１８】金種の選択画面の一例を示す説明図である。
【図１９】両替機１０における連携取引の取引集計項目の一例を示す説明図である。
【図２０】連携取引におけるＡＴＭ３０での支払処理の流れを示す説明図である。
【図２１】連携取引におけるＡＴＭ３０での支払処理の流れを示す説明図である。
【発明を実施するための形態】
【０００８】
以下、実施例を図面を用いて説明する。
Ａ．第１実施例：
Ａ−１．両替取引システムの構成：
Ａ−２．連携取引における入金処理：
Ａ−３．連携取引における両替出金処理：
Ｂ．第２実施例：
Ｃ．変形例：
【０００９】
Ａ．第１実施例：
Ａ−１．両替取引システムの構成：
図１は、本発明の実施例における両替取引システム１００の概略構成を示す説明図である。両替取引システム１００は、紙幣および硬貨を入出金できる両替取引装置１０（以下、単に「両替機」とも呼ぶ）と、紙幣を入出金できる現金自動取引装置（以下、「ＡＴＭ」とも呼ぶ）３０と、サーバとしてのホストコンピュータ５０と、ルータ６０と、ホストコンピュータ５０とルータ６０とを接続するインターネットＩＮＴと、ＬＡＮ(Local Area Network)６５と、を備える。ＡＴＭ３０とホストコンピュータ５０とは、インターネットＩＮＴ、ルータ６０、および、ＬＡＮ６５を介して、入金取引の電子文書や出金取引の電子文書といった取引処理の電子文書を表わす情報をやり取りする。両替機１０は、ＬＡＮ６５を介して、ＡＴＭ３０と情報のやり取りを行なう。なお、本実施例の両替機１０は、ホストコンピュータ５０と情報のやり取りを直接は行なわず、オフラインの状態で稼働する。図１には、ＬＡＮ６５に接続されている１台の両替機１０および１台のＡＴＭ３０が示されているが、ＬＡＮ６５には複数の両替機１０や複数のＡＴＭ３０が接続されていてもよい。
【００１０】
図２は、両替機１０の内部構成を概略的に示す説明図である。両替機１０は、例えば、金融機関、小売店および公共施設に設置され、利用者の操作に基づいて選択された金種ごとに両替出金を行なう装置である。図２に示すように、両替機１０は、機能部として、制御部１１と、操作部１２と、紙幣入出金機構１３と、硬貨出金機構１４と、包装硬貨出金機構１５と、カード機構１６と、明細票機構１７と、回線接続部１８と、手数料硬貨受付部１９と、記憶部２０と、を備えている。
【００１１】
制御部１１は、ＣＰＵやメモリ等で構成され、ＣＰＵがメモリに格納されたプログラムを読み込んで、両替機１０の各機能部の動作を制御して各種処理を行なう。制御部１１のメモリには、両替機１０を制御するためのプログラムやデータが記憶されている。操作部１２は、顧客である利用者の指等による接触位置の座標を取得するポインティングデバイスであり、指等の接触によって利用者からの指示を受け付ける。また、操作部１２は、顧客へのガイダンスメッセージを表示するディスプレイである。
【００１２】
カード機構１６は、種々のカード（例えば、キャッシュカードや両替カード等）の受付および排出を行なう。また、カード機構１６は、カードに含まれる磁気ストライプまたはＩＣチップに記録されたデータの読み取りおよび書き込み動作の処理を行なう。明細票機構１７は、両替機１０における利用者の取引内容を明細票に印字し、印字した明細書を排出する。
【００１３】
紙幣入出金機構１３は、紙幣の受付および排出を行なう。硬貨出金機構１４は、包装されていない１枚の硬貨の排出を行なう。包装硬貨出金機構１５は、同一種類の複数の硬貨が包装された包装硬貨の排出を行なう。紙幣入出金機構１３、硬貨出金機構１４、および、包装硬貨出金機構１５のそれぞれは、シャッタを備え、シャッタが開くことにより、利用者および金融機関の係員等は、紙幣および硬貨の挿入および取出を行なうことができる。手数料硬貨受付部１９は、手数料が必要となる両替出金において、手数料としての硬貨の受付を行なう。回線接続部１８は、ＬＡＮ６５を介して、例えば、ＡＴＭ３０といった他の装置と情報のやり取りを行なう。記憶部２０は、カード機構１６が受け付けたカードに記録されたデータと、当該カードにおける取引内容と、を記憶する。また、記憶部２０は、後述する両替機１０とＡＴＭ３０との間における連携取引に関する情報を記憶する。なお、回線接続部１８は、請求項における情報受信部および情報取得部に相当する。
【００１４】
図３は、ＡＴＭ３０およびホストコンピュータ５０の内部構成を概略的に示す説明図である。図３には、ホストコンピュータ５０およびＡＴＭ３０が示されており、インターネットＩＮＴ、ルータ６０、および、ＬＡＮ６５の図示が省略されている。ＡＴＭ３０は、利用者の操作に基づいて入出金等の所定の取引を行なう装置である。図３に示すように、ＡＴＭ３０は、機能部として、制御部３１と、回線接続部３２と、操作部３３と、紙幣入出金機構３４と、硬貨入出金機構３５と、通帳機構３６と、カード機構３７と、明細書機構３８と、記憶部３９と、を備えている。
【００１５】
制御部３１は、ＣＰＵやメモリ等で構成され、ＣＰＵがメモリに格納されたプログラムを読み込んで、ＡＴＭ３０の各機能部の動作を制御して各種処理を行なう。制御部３１のメモリには、ＡＴＭ３０を制御するためのプログラムやデータが記憶されている。回線接続部３２は、ＬＡＮカードなどで構成されて、インターネットＩＮＴに接続してホストコンピュータ５０と各種情報の送受信を行なう。操作部３３は、顧客である利用者の指等による接触位置の座標を取得するポインティングデバイスであり、指等の接触によって利用者からの指示を受け付ける。また、操作部３３は、顧客へのガイダンスメッセージを表示するディスプレイである。
【００１６】
カード機構３７は、種々のカード（例えば、キャッシュカードや両替カード等）の受付および排出を行なう。また、カード機構３７は、カードに含まれる磁気ストライプまたはＩＣチップに記録されたデータの読み取りおよび書き込み動作の処理を行なう。明細書機構３８は、ＡＴＭ３０における利用者の取引内容を明細票に印字し、印字した明細書を排出する。通帳機構３６は、利用者の通帳の受付および排出を行ない、また、通帳の情報を読み取り、取引内容を通帳に印字する。
【００１７】
紙幣入出金機構３４は、紙幣の受付および排出を行なう。硬貨入出金機構３５は、硬貨の受付および排出を行なう。紙幣入出金機構３４および硬貨入出金機構３５のそれぞれは、シャッタを備え、シャッタが開くことにより、利用者および金融機関の係員等は、紙幣および硬貨の挿入および取出を行なうことができる。記憶部３９は、カード機構３７が受け付けたカードに記録されたデータと、当該カードにおける取引内容と、後述する連携取引に関する情報と、を記憶する。
【００１８】
図３に示すように、ホストコンピュータ５０は、制御部５１と、回線接続部５２と、記憶部５３と、を備えている。制御部５１は、ＣＰＵやメモリ等で構成され、ＣＰＵがメモリに格納されたプログラムを読み込んで、ホストコンピュータ５０の各機能部の動作を制御して各種処理を行なう。制御部５１のメモリには、ホストコンピュータ５０を制御するためのプログラムやデータが記憶されている。回線接続部５２は、ＬＡＮカードなどで構成されて、インターネットＩＮＴに接続してＡＴＭ３０と各種情報の送受信を行なう。記憶部５３は、両替機１０や記憶部２０の利用者の口座情報を記憶している。
【００１９】
Ａ−２．連携取引における入金処理：
本実施例では、ＡＴＭ３０における入金処理と、両替機１０における両替出金処理と、で構成される連携取引が行なわれる。連携取引では、ＡＴＭ３０で入金された現金と同額現金が、両替機１０から両替されて出金される。以下に、ＡＴＭ３０に現金が入金される連携取引における入金処理を示す。
【００２０】
図４および図５は、連携取引におけるＡＴＭ３０での入金処理の流れを示す説明図である。初めに、ＡＴＭ３０の制御部３１は、ＡＴＭ３０の操作部３３に取引メニューを表示させる。図６は、取引メニューの一例を示す説明図である。操作部３３において、両替キーが利用者によってタッチされて選択されると、制御部３１は、入金処理を開始する。入金処理が始まると、制御部３１は、キャッシュカードまたは両替カードをＡＴＭ３０のカード機構３７に挿入する指示のメッセージおよび取消キーを操作部３３に表示させる（図４のステップＳ１２）。
【００２１】
図７は、カード挿入指示のメッセージの一例を示す説明図である。キャッシュカードおよび両替カードのいずれもがカード機構３７に受け付けられない場合には（図４のステップＳ１３：ＮＯ）、制御部３１は、入金処理を終了する。ステップＳ１３の処理において、キャッシュカードまたは両替カードをカード機構３７が受け付けると（ステップＳ１３：ＹＥＳ）、制御部３１は、挿入されたカードの磁気データを読み込んで、当該カードが取り扱い可能か否かを判定する（ステップＳ１４）。制御部３１は、カード種別、金融機関番号、支店番号、および、カードの有効期限等をチェックする。
【００２２】
カードの取り扱いが可能であると判定された場合には（ステップＳ１５：ＹＥＳ）、制御部３１は、これからＡＴＭ３０に入金される現金を、ＡＴＭ３０で出金するか、両替機１０で両替出金するかの選択画面を制御部３１に表示させる（ステップＳ１６）。なお、ＡＴＭ３０で出金する場合には、硬貨を含んだ出金は選択できない。図８は、出金の選択画面の一例を示す説明図である。「ＡＴＭ３０で出金する」を表わすキーが選択されると（図４のステップＳ１７：ＮＯ）、制御部３１は、利用者からの入金を受け付けて、ＡＴＭ３０が出金可能な紙幣の金種を操作部３３に表示させて、利用者に金種を選択させる。制御部３１は、選択された金種を用いて入金された現金と同額の紙幣をＡＴＭ３０の紙幣入出金機構３４に出金して（ステップＳ３０）、入金処理を終了する。
【００２３】
ステップＳ１７の処理において、「両替機１０で出金する（図８）」を表わすキーが選択されると（図４のステップＳ１７：ＹＥＳ）、制御部３１は、両替出金する現金の入金を受け付ける旨のメッセージを操作部３３に表示させる（ステップＳ１８）。図９は、入金受付時に表示されるメッセージの一例を示す説明図である。現金が入金されて読取キーが選択されると（図４のステップＳ１９：ＹＥＳ）、制御部３１は、受け付けた現金の総額を確認して、操作部３３に預入れ金額の確認画面を表示させる（ステップＳ２０）。
【００２４】
図１０は、預入れ金額の確認画面の一例を示す説明図である。預入れ確認画面において、確認キーが選択されると（図４のステップＳ２１：ＹＥＳ）、制御部３１は、連携取引の案内画面を操作部３３に表示させる（ステップＳ２２）。図１１は、連携取引の案内画面の一例を示す説明図である。連携取引の案内画面において取消キーが選択されると（図４のステップＳ２３：ＮＯ）、制御部３１は、カード機構３７から受け付けたカードを排出して利用者に返却し（ステップＳ３１）、入金処理を終了する。なお、同様に、ステップＳ１５の処理においてカードの取り扱いが不可能であると判定された場合（ステップＳ１５：ＮＯ）、ステップＳ１９の処理において現金の受付を確認できずに取消キーが選択された場合（ステップＳ１９：ＮＯ）、および、ステップＳ２１の処理において取消キーが選択された場合には（ステップＳ２１：ＮＯ）、制御部３１は、カード機構３７から受け付けたカードを排出して利用者に返却し（ステップＳ２３）、入金処理を終了する。
【００２５】
ステップＳ２３の処理において、連携取引の案内画面において確認キーが選択されると（ステップＳ２３：ＹＥＳ）、制御部３１は、カード機構３７から受け付けたカードを排出して利用者に返却する（図５のステップＳ２４）。次に、制御部３１は、記憶部３９および両替取引装置１０の記憶部２０に対して、連携取引の取引内容のデータを更新する（ステップＳ２５）。
【００２６】
図１２は、ＡＴＭ３０における連携取引の取引集計項目の一例を示す説明図である。連携取引の取引集計項目には、それぞれのＡＴＭ３０において行なわれた連携取引の各取引集計項目が記憶される。連携取引の取引集計項目は、ＡＴＭ３０の記憶部３９に記憶されており、連携取引が行なわれる度に更新される。連携取引の取引集計項目には、ＡＴＭ３０の入金処理における連携取引の件数、連携取引分の入金額、連携取引分のＡＴＭ３０での出金額、および、連携取引分のＡＴＭ３０以外での出金額が含まれている。また、連携取引の取引集計項目には、ＡＴＭ３０の支払処理における、連携取引の件数、連携取引分の口座払出し金額、連携取引分のＡＴＭ３０での出金額、および、連携取引分のＡＴＭ３０以外での出金額が含まれている。なお、詳細については後述するが、ＡＴＭ３０における支払処理とは、キャッシュカードを用いてＡＴＭ３０から口座払出しを伴う支払処理が行なわれた後に、支払処理において出金される金額の全部または一部が両替機１０において両替出金される連携取引である。
【００２７】
連携取引の件数は、ＡＴＭ３０のそれぞれについて、当該ＡＴＭ３０で全額を両替出金せずに、両替機１０で全部または一部の金額を両替出金した連携取引の件数の総数であり、５桁の数字で記憶される。連携取引分の出金額は、連携取引においてＡＴＭ３０で出金された金額の総額であり、８桁の数字で記憶される。連携取引分の出金額は、連携取引においてＡＴＭ３０以外の取引装置（例えば、両替機１０）で出金された金額の総額であり、８桁の数字で記憶される。入金処理分における連携取引分の入金額は、連携取引においてＡＴＭ３０に入金処理によって入金された金額の総額であり、８桁の数字で記憶される。また、支払処理における連携取引分の口座払出し金額は、連携取引においてＡＴＭ３０で口座払出しが行なわれた金額の総額である。なお、入金処理分における連携取引分の入金額、および、支払処理における連携取引分の口座払出し金額は、ＡＴＭ３０における出金額とＡＴＭ３０以外での出金額との和となる。
【００２８】
図５のステップＳ２５の処理において、制御部３１は、取引集計項目における入金処理分において、連携取引の件数を「１」増やし、連携取引分の入金額を「２５０００」増やし、ＡＴＭ３０以外での出金額を「２５０００」増やすようにデータを更新する。その他の集計項目においては、データは更新されない。連携取引の取引集計項目のデータが更新されると（ステップＳ２５）、次に、制御部３１は、両替機１０の記憶部２０に記憶されている未受領金額ファイルのデータを更新する（ステップＳ２６）。
【００２９】
図１３は、未受領金額ファイルに格納された１つのレコードを示す説明図である。未受領金額ファイルには、複数のレコードが格納されている。各レコードには、カード種別と、店番と、カード番号と、最新取引年月日と、最新取引時刻と、入金処理分の未受領金額と、支払処理分の未受領金額と、が数字を用いて記憶されている。
【００３０】
カード種別は、連携取引において使用されたカードの種別を特定するデータであり、１桁の数字で表わされる。例えば、連携取引においてキャッシュカードが使用された場合には、「１」としてデータが更新される。店番は、連携取引において使用されたカードに記憶されている店を特定する番号であり、４桁の数字で記憶される。カード番号は、連携取引において使用されたカードを特定する番号であり、１３桁の数字で記憶される。最新取引年月日は、連携取引が行なわれた日付を特定するデータであり、６桁の数字で記憶される。例えば、連携取引が行なわれた日付が２０１３年５月２４日である場合には、西暦の上２桁を除いて「１３０５２４」と記憶される。最新取引時刻は、連携取引が行なわれた時刻を特定するデータであり、４桁の数字で記憶される。例えば、連携取引が行なわれた時刻が１４時１０分である場合には、「１４１０」と記憶される。
【００３１】
入金処理分の未受領金額は、ＡＴＭ３０における入金処理の後に両替機１０において両替取引が行なわれる連携取引において、両替機１０での両替出金が行なわれる金額を示し、６桁の数字で記憶される。本実施例では、６桁の数字を超える金額である１００万以上の取引を行なうことができないように、両替機１０およびＡＴＭ３０が設定されている。支払処理分の未受領金額は、後述するＡＴＭ３０における出金処理の後に両替機１０において行なわれる連携取引において、両替機１０における両替出金が行なわれる予定の金額を示し、６桁の数字で記憶される。なお、カード種別、店番、および、カード番号は、請求項における取引者情報に相当し、入金処理分の未受領金額および支払処理分の未受領金額は、請求項における両替可能額に相当する。
【００３２】
図５のステップＳ２６の処理において、制御部３１は、ＬＡＮ６５を介して、両替機１０の記憶部２０に記憶されている未受領金額ファイルのデータを更新する。制御部３１は、カード種別と店番とカード番号とのそれぞれが一致するレコードが未受領金額ファイルに格納されているか否かを判定する（ステップＳ２７）。一致するレコードが未受領金額ファイルに格納されていると判定された場合には（ステップＳ２７：ＹＥＳ）、制御部３１は、未受領金額ファイルに格納された既存の当該レコードにおける各種データを更新する（ステップＳ２８）。制御部３１は、最新取引年月日および最新取引時刻のデータを更新し、入金処理分の未受領金額を「２５０００」へと更新して、連携取引におけるＡＴＭ３０での入金処理を終了する。なお、本実施例では、ＡＴＭ３０における入金処理に関する連携取引であるため、支払処理分の未受領金額のデータは更新されない。
【００３３】
ステップＳ２７の処理において、未受領金額ファイルに一致するレコードが格納されていないと判定された場合には（ステップＳ２７：ＮＯ）、制御部３１は、未受領金額ファイルに新規のレコードを作成する（ステップＳ２９）。制御部３１は、新規のレコードにおける各項目のデータを作成して、連携取引におけるＡＴＭ３０での入金処理を終了する。
【００３４】
Ａ−３．連携取引における両替出金処理：
図１４および図１５は、連携取引における両替出金処理の流れを示す説明図である。初めに、両替機１０の制御部１１は、両替機１０の操作部１２に両替出金の取引メニューを表示させる（ステップＳ４１）。図１６は、両替出金の取引メニューの一例を示す説明図である。両替出金の取引メニューでは、ＡＴＭ３０と両替機１０との連携取引を行なう利用者に対して、「ＡＴＭで入金ずみまたは払出しずみの方」と表示されたキーが含まれる。操作部１２に表示されたキーが選択されずに、キャッシュカードまたは両替カードがカード機構１６に受け付けられると（図１４のステップＳ４２：カード受付）、制御部３１は、連携取引ではない通常の両替出金を行なう。通常の両替出金では、紙幣入出金機構１３および硬貨出金機構１４が利用者からの入金を受け付け、操作部１２に両替出金のための金種の選択画面が表示される。制御部１１は、選択された金種に基づいて入金額と同額の現金を両替出金して（ステップＳ５７）、両替出金処理を終了する。
【００３５】
ステップＳ４２の処理において、取引メニューのキーが利用者によってタッチされて選択されると（ステップＳ４２：キー選択）、制御部１１は、ＡＴＭ３０の入金処理において用いたカードと同じカードを、カード機構１６に挿入する旨のメッセージを、操作部１２に表示させる。カード機構１６は、キャッシュカードまたは両替カードを受け付ける（ステップＳ４３）。カードが受け付けられると、制御部１１は、受け付けたカードから磁気データを読み込んで両替出金処理において取り扱いが可能か否かを判定する（ステップＳ４４）。制御部１１は、カード種別、金融機関番号、支店番号、および、カードの有効期限等をチェックする。カードの取り扱いが可能であると判定された場合には（ステップＳ４５：ＹＥＳ）、制御部１１は、両替機１０の記憶部２０に記憶された未受領金額ファイルを参照する（ステップＳ４６）。制御部１１は、受け付けたカードに対して、カード種別、店番、および、カード番号のそれぞれが一致するレコードが未受領ファイルの中に格納されているか否かを判定する（ステップＳ４７）。すなわち、連携取引におけるＡＴＭ３０の利用者と両替機１０の利用者とが同じであるか否かを判定する。なお、制御部１１は、請求項における判定部に相当する。
【００３６】
未受領金額ファイルの中に一致するレコードがないと判定された場合（ステップＳ４７：ＮＯ）、および、ステップＳ４５の処理において受け付けたカードが取り扱い不可能であると判定された場合には（ステップＳ４５：ＮＯ）、制御部１１は、カード機構１６から受け付けたカードを排出して利用者に返却し（ステップＳ５８）、両替出金処理を終了する。
【００３７】
ステップＳ４７の処理において、未受領金額ファイルの中に一致するレコードが格納されていると判定された場合、すなわち、ＡＴＭ３０の利用者と両替機１０の利用者とが同じであると判定された場合には（ステップＳ４７：ＹＥＳ）、制御部１１は、レコードに含まれる入金処理分の未受領金額を確認する（ステップＳ４８）。次に、制御部１１は、確認した未受領金額と確認キーと取消キーとを操作部１２に表示させて、利用者からのキーの選択を待つ（ステップＳ４９）。
【００３８】
図１７は、両替出金額の確認画面の一例を示す説明図である。操作部１２には、両替出金が可能な額として「２５０００円」が表示される。利用者によって確認キーが選択された場合には（ステップＳ５０：ＹＥＳ）、制御部１１は、両替出金する現金の金種の選択画面を操作部１２に表示させて、利用者に金種を選択させる（ステップＳ５１）。
【００３９】
図１８は、金種の選択画面の一例を示す説明図である。金種の選択画面には、残り金額と、両替枚数と、お預かり金額と、取消キーと、全訂正キーと、直前操作訂正キーと、パターン両替キーと、選択終了キーと、紙幣および硬貨のそれぞれに対応する複数の選択キーと、が含まれている。お預かり金額には、両替出金が可能な「２５０００円」が表示される。取消キーが選択されると、金種選択の取引自体が取り消される。全訂正キーが選択されると、両替出金する現金の選択が全て取り消される。直前操作訂正キーが選択されると、直前の現金の選択が取り消される。パターン両替キーが選択されると、カード機構１６に受け付けられたカードに記憶されている前回の両替出金と同じ金種ごとの枚数が選択された画面が表示される。選択終了キーが選択されると、金種の選択が終了する。
【００４０】
図１８に示す金種選択画面では、両替出金として、包装硬貨としての１本の１００円硬貨が選択されると共に、１本の１０円硬貨が選択された状態が示されている。なお、１本の１００円硬貨とは、５０枚の硬貨を１本として包装された１００円硬貨の包装硬貨のことを示している。この場合、残り金額には、お預かり金額の２５０００円から、両替出金の予定額である５５００円を差し引いた額が示される。すなわち、残り１９５００円分の金種が選択されて、両替出金が可能である状態が示されている。両替枚数には、金種に関係なく、両替出金された場合の紙幣および硬貨の総数が表示されている。この場合には、１００円硬貨が５０枚、１０円硬貨が５０枚であるため、両替枚数には「１００枚」と表示される。
【００４１】
図１４のステップＳ５２の処理において、お預かり金額に表示された額と同額の金種が選択されて選択終了キーが選択されると（ステップＳ５２：ＹＥＳ）、制御部１１は、選択された金種を用いて現金を出金する（図１５のステップＳ５３）。現金が両替出金された場合（ステップＳ５３）、図１４のステップＳ５０の処理において取消キーが選択された場合（ステップＳ５０：ＮＯ）、および、ステップＳ５２の処理において利用者によって取消キーが選択された場合には（ステップＳ５２：ＮＯ）、制御部１１は、カード機構１６が受け付けたカードを排出して利用者に返却する（図１５のステップＳ５５）。次に、制御部１１は、記憶部２０に記憶されている連携取引の取引内容のデータを更新する（ステップＳ５５）。
【００４２】
図１９は、両替機１０における連携取引の取引集計項目の一例を示す説明図である。連携取引の取引集計項目は、両替機１０の記憶部２０に記憶されており、連携取引が行なわれる度に更新される。連携取引の取引集計項目には、両替機１０における連携取引の成立件数、連携取引の取消件数、連携取引成立分の出金額、および、連携取引取消分の返却金額が含まれている。連携取引の成立件数は、ＡＴＭ３０において全額を出金せずに、出金額の全部または残りの一部が両替機１０で両替出金されて連携取引が成立した件数であり、５桁の数字で記憶される。連携取引の取消件数は、ＡＴＭ３０における入金処理を伴う連携取引において、両替機１０において両替出金が取り消された件数であり、５桁の数字で記憶される。なお、詳細については後述するが、ＡＴＭ３０における支払処理を伴う連携取引では、両替機１０における両替出金の取り消しができないように設定されている。連携取引成立分の出金額は、連携取引が成立して、両替機１０から両替出金された出金額の総額であり、８桁の数字で記憶される。連携取引取消分の返却金額は、ＡＴＭ３０における入金処理後の連携取引が取り消されて、両替機１０において両替出金が取り消された金額の総額であり、８桁の数字で記憶される。
【００４３】
連携取引の両替出金が行なわれた後に（図１５のステップＳ５５）、制御部１１は、取引集計項目における連携取引の成立件数を「１」増やし、連携取引成立分の出金額に「２５０００」を加えてデータを更新する。なお、連携取引の両替出金が取り消された場合には、制御部１１は、取引集計項目における連携取引の取消件数を「１」増やし、連携取引取消分の返却金額に「２５０００」を加えてデータを更新する。次に、制御部１１は、当該連携取引で用いた未受領金額ファイルに格納されたレコード（図１３）に対して、入金処理分の未受領金額および支払処理分の未受領金額のデータを消去して、データを更新する（図１５のステップＳ５６）。
【００４４】
以上説明したように、本実施例の両替機１０では、両替機１０の回線接続部１８を介して、未受領ファイルに格納されているレコードが更新される。レコードには、カード種別と、店番と、カード番号と、最新取引年月日と、最新取引時刻と、入金処理分の未受領金額と、支払処理分の未受領金額と、が数字を用いて記憶されている。両替機１０の制御部１１は、連携取引におけるＡＴＭ３０の利用者と両替機１０の利用者とが同じであるか否かを判定する。制御部１１は、ＡＴＭ３０の利用者と両替機１０の利用者とが同じであると判定した場合には、操作部１２が受け付けた操作に基づいて、両替出金を行なう。そのため、本実施例では、両替機１０で両替出金する金額を、両替機１０に入金する連携取引が行なわれると、両替機１０に現金を直接入金しなくても、両替機１０において両替出金されるので、入金処理および両替出金処理における処理時間を短縮できる。また、本実施例では、１枚１枚がバラバラの硬貨を、包装硬貨または紙幣へと両替したい場合に、ＡＴＭ３０にバラバラの硬貨を投入すれば、ＡＴＭ３０において出金処理をしないで、両替機１０において両替出金でき、利用者の利便性が向上する。また、本実施例では、新たに両替機１０やＡＴＭ３０の筐体を用いずに、既存の両替機１０やＡＴＭ３０を用いて、入金処理および両替出金処理における処理時間を短縮できる。
【００４５】
また、本実施例の両替機１０では、両替出金される金額は、連携取引における入金処理によってＡＴＭ３０に入金された金額以下である。そのため、この両替機１０では、ＡＴＭ３０と両替機１０と間の連携取引において、入金処理および両替出金処理における処理時間を更に短縮でき、利用者の利便性をより向上させることができる。
【００４６】
また、本実施例の両替機１０では、制御部１１は、操作部１２が受け付けた利用者の操作に基づいて、両替出金する金種を選択して出金するため、利用者が両替出金する金種を自由に選択でき、利用者の利便性が向上する。
【００４７】
Ｂ．第２実施例：
図２０および図２１は、連携取引におけるＡＴＭ３０での支払処理の流れを示す説明図である。第２実施例では、連携取引において、第１実施例の連携取引におけるＡＴＭ３０での入金処理がＡＴＭ３０での支払処理である点が異なり、両替機１０における両替出金処理については第１実施例と同様である。
【００４８】
ＡＴＭ３０における支払処理では、初めに、制御部３１は、操作部３３に取引メニュー（図６）を表示させる。取引メニューにおいて、お引出しキーが利用者によってタッチされて選択されると、制御部３１は、支払処理を開始する。制御部３１は、キャッシュカードまたは両替カードをＡＴＭ３０のカード機構３７に挿入する指示のメッセージおよび取消キー（図７）を操作部３３に表示させる（図２０ステップＳ６２）。キャッシュカードまたは両替カードがカード機構３７に受け付けられると（ステップＳ６３：カード受付）、制御部３１は、受け付けたカードの磁気データを読み込んで、当該カードが取り扱い可能か否かを判定する（ステップＳ６４）。
【００４９】
カードの取り扱いが可能であると判定された場合には（ステップＳ６５：ＹＥＳ）、制御部３１は、暗証番号を入力させる旨のメッセージとテンキーを操作部３３に表示させて、利用者による暗証番号の入力を待つ（ステップＳ６６）。受け付けたカードに登録された暗証番号と同じ暗証番号が入力された場合には（ステップＳ６７：ＹＥＳ）、制御部３１は、支払金額の入力画面を制御部３１に表示させて、利用者による口座払出し金額の入力を待つ（ステップＳ６８）。
【００５０】
口座払出し金額が入力されると（ステップＳ６９：ＹＥＳ）、制御部３１は、口座払出しの現金を、ＡＴＭ３０で出金するか、両替機１０で両替出金するかの選択画面を制御部３１に表示させる（ステップＳ７０）。出金の選択画面（図８）において、「両替機１０で出金する」のキーが選択されると（図２０のステップＳ７０：ＹＥＳ）、制御部３１は、連携取引の案内画面（図１１）を操作部３３に表示させる（図２０のステップＳ７１）。連携取引の案内画面において確認キーが選択されると（ステップＳ７２：ＹＥＳ）、制御部３１は、カードを排出して利用者に返却する（図２１のステップＳ７３）。
【００５１】
次に、制御部３１は、連携取引の取引内容のデータを更新する（ステップＳ７４）。制御部３１は、取引集計項目における支払処理分（図１２）において、連携取引の件数を「１」増やし、連携取引分の口座払出し金額を「２５０００」増やし、ＡＴＭ３０以外での出金額を「２５０００」増やすようにデータを更新する。連携取引の取引集計項目のデータが更新されると（図２１のステップＳ７４）、制御部３１は、未受領金額ファイルのデータを更新する（ステップＳ７５）。制御部３１は、カード種別と店番とカード番号とのそれぞれが一致するレコードが未受領金額ファイルに格納されているか否かを判定する（ステップＳ７６）。一致するレコードが未受領金額ファイルに格納されていると判定された場合には（ステップＳ７６：ＹＥＳ）、制御部３１は、当該レコード（図１３）における各種データを更新する（ステップＳ７７）。制御部３１は、最新取引年月日および最新取引時刻のデータを更新し、支払処理分の未受領金額を「２５０００」へと更新して、連携取引におけるＡＴＭ３０での支払処理を終了する。
【００５２】
以上説明したように、第２実施例における両替機１０では、両替出金される金額は、連携取引における支払処理によってＡＴＭ３０から口座払出しの金額から、ＡＴＭ３０で出金される出金額を差し引いた金額である。そのため、この両替機１０では、ＡＴＭ３０と両替機１０と間の連携取引において、預金口座のお金を用いて両替出金処理ができ、支払処理および両替出金処理における処理時間を短縮でき、利用者の利便性をより向上させることができる。
【００５３】
Ｃ．変形例：
なお、本発明は上記した実施例に限定されるものではなく、様々な変形例が含まれる。例えば、上記した実施例は本発明をわかりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成の一部について、他の実施例の構成を加えることも可能である。また、各実施例の構成の追加・削除・置換をすることが可能である。
【００５４】
また、上記の各構成、機能、処理部、処理手段等は、それらの一部または全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くこともできる。また、制御線や情報線は説明上必要と考えられるものを示しており、製品上必ずしも全ての制御線や情報線を示しているとは限らない。実際には殆ど全ての構成が相互に接続されていると考えてもよい。
【００５５】
Ｃ１．変形例１：
上記実施例では、両替機１０とホストコンピュータ５０との情報のやり取りが行なわれない態様としたが、両替機１０とホストコンピュータ５０との情報のやり取りが行なわれる態様であってもよい。この変形例では、ホストコンピュータ５０の記憶部５３に記憶された利用者の情報がやり取りされることで、両替出金できる金種が異なる複数の両替機１０において、連携取引を行なうことができる。例えば、複数の両替機１０がある場合には、特定の両替機１０がマスター機として設定され、マスター機である両替機１０の記憶部２０に未受領金額ファイルが記憶される。この場合に、マスター機以外の両替機１０において両替出金が行なわれるごとに、ＬＡＮ６５を介して取引内容が未受領金額ファイルに格納されたレコードにおいて更新されてもよい。また、両替機１０の記憶部２０に記憶された未受領金額ファイルがホストコンピュータ５０の記憶部５３やＡＴＭ３０の記憶部３９に記憶されていてもよい。
【００５６】
また、上記実施例では、キャッシュカードまたは両替カードによって、両替機１０およびＡＴＭ３０の利用者が特定されたが、利用者を特定する方法はこれに限られず、種々変形可能である。例えば、生体認証が用いられて、両替機１０およびＡＴＭ３０の利用者が特定されてもよいし、生体認証とカードに記憶されたデータとの両方によって利用者が特定されてもよい。また、キャッシュカードや両替カードの代わりに、例えば、連携取引において、ＡＴＭ３０における入金取引が終わった後に、ＡＴＭ３０の利用者を特定する情報が記録されたカードが新規に発行され、当該カードを用いて両替機１０における両替出金が行われてもよい。
【００５７】
Ｃ２．変形例２：
上記実施例では、図１８に金種の選択画面の一例を挙げたが、金種の選択画面はこれに限られず種々変形可能である。例えば、両替出金できる金種に紙幣がなく、硬貨のみであってもよいし、他の金種として二千円札があってもよい。また、ＡＴＭ３０を用いて紙幣の両替出金が行なわれ、両替機１０において硬貨の両替出金が行なわれてもよい。また、紙幣を新しい紙幣へと交換する新券両替を選択するキーが金種の選択画面に含まれていてもよい。また、両替機１０における両替出金には手数料が発生し、当該手数料が手数料硬貨受付部１９によって受け付けられてもよい。また、両替出金に必要な手数料は、単位枚数ごとに対する回数（例えば、１００枚以下の両替手数料として１回）として両替カードに記憶されており、両替カードによって両替出金できる回数が金種の選択画面に含まれていてもよい。
【００５８】
上記実施例では、連携取引における両替機１０において、ＡＴＭ３０における入金処理および支払処理の残額が全て両替出金されたが、両替出金される額については種々変形可能である。例えば、連携取引におけるＡＴＭ３０での入金処理において、両替機１０で両替出金されなかった残額が預金口座に預け入れられてもよい。この変形例では、入金処理、両替出金処理、および、預入れ処理に要する処理時間をより短縮できる。
【００５９】
また、上記実施例では、ＡＴＭ３０では硬貨が出金できない態様としたが、ＡＴＭ３０で硬貨が出金されてもよい。また、上記実施例では、ＡＴＭ３０における支払処理を伴う連携取引では、両替機１０における両替出金の取り消しができない態様であったが、取り消しができて、再度、ＡＴＭ３０で残りの金額が出金される態様であってもよい。
【００６０】
Ｃ３．変形例３：
上記第１実施例では、図１２に示すように、連携取引における取引集計項目に、支払処理分の項目が含まれているが、連携取引における入金処理では、支払処理分の項目がなくてもよい。逆に、上記第２実施例における連携取引における支払処理では、入金処理分の項目がなくてもよい。また、上記実施例では、図１３に示すように、未受領金額ファイルに格納された各レコードには、最新取引年月日および最新取引時刻が記憶されているが、当該データがなくてもよい。また、上記第１実施例では、連携取引における入金処理において、支払処理分の未受領金額がレコードに記憶されたが、入金処理では支払処理分の未受領金額が記憶されなくてもよい。逆に、上記第２実施例では、連携取引における支払処理おいて、入金処理分の未受領金額がレコードに記憶されたが、支払処理では入金処理分の未受領金額が記憶されなくてもよい。
【００６１】
また、上記実施例では、図１３に示すように、入金処理分の未受領金額および支払処理分の未受領金額が１００万未満の６桁で示される金額としたが、未受領金額の上限については種々変形可能である。例えば、両替機１０における収納容積を大きくしたり、金種ごとに複数の両替機１０が同一店舗に設置されることで、未受領金額の上限を７桁以上に増やしても、入金処理および両替出金処理における処理時間を短縮した上で、一度により多くの両替出金を行なうことができる。
【００６２】
また、記憶部２０に記憶される未受領金額ファイルに格納されたレコードが予め定められた数を超えた場合には、連携取引が中止されてもよい。また、記憶部２０に記憶されるレコードが予め定められた数を超えた場合には、ＡＴＭ３０やホストコンピュータ５０といった他の装置の記憶部に、レコードを格納した未受領金額ファイルを移すことで、記憶部２０の容量を確保して、新たなレコードが記憶されてもよい。
【００６３】
また、上記実施例では、両替機１０の操作部１２やＡＴＭ３０の操作部３３は、指等の接触によって利用者からの指示を受け付けるポインティングデバイスを採用したが、指等の接触以外の操作を受け付けてもよい。例えば、操作部１２や操作部３３は、利用者や係員の音声を認識することで、指示を受け付けることができてもよい。
【符号の説明】
【００６４】
１０…両替機
１１…制御部
１２…操作部
１３…紙幣入出金機構
１４…硬貨出金機構
１５…包装硬貨出金機構
１６…カード機構
１７…明細票機構
１８…回線接続部
１９…手数料硬貨受付部
２０…記憶部
３０…ＡＴＭ
３１…制御部
３２…回線接続部
３３…操作部
３４…紙幣入出金機構
３５…硬貨入出金機構
３６…通帳機構
３７…カード機構
３８…明細書機構
３９…記憶部
５０…ホストコンピュータ
５１…制御部
５２…回線接続部
５３…記憶部
６０…ルータ
６５…ＬＡＮ
１００…両替取引システム
ＩＮＴ…インターネット
【図１】
2015001861.tif 000003
【図２】
2015001861.tif 000004
【図３】
2015001861.tif 000005
【図４】
2015001861.tif 000006
【図５】
2015001861.tif 000007
【図６】
2015001861.tif 000008
【図７】
2015001861.tif 000009
【図８】
2015001861.tif 000010
【図９】
2015001861.tif 000011
【図１０】
2015001861.tif 000012
【図１１】
2015001861.tif 000013
【図１２】
2015001861.tif 000014
【図１３】
2015001861.tif 000015
【図１４】
2015001861.tif 000016
【図１５】
2015001861.tif 000017
【図１６】
2015001861.tif 000018
【図１７】
2015001861.tif 000019
【図１８】
2015001861.tif 000020
【図１９】
2015001861.tif 000021
【図２０】
2015001861.tif 000022
【図２１】
2015001861.tif 000023